(57)【特許請求の範囲】
【請求項１】
アクセス用の開口部がシャッタにて覆われている第１のカートリッジケースに収納された光ディスクなどの第１のディスクと、第１のカートリッジケースよりも小さくアクセス用の開口部がシャッタにて覆われている第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、を備えたことを特徴とするディスク記録再生装置。
【請求項２】
第１のディスクカートリッジを搬入する際の、記録再生機構部が上昇して第１のディスクをターンテーブル上面に保持する動作に連動させて、第２のシャッタオープナを第１のディスクの外径外に退避させる手段を設けたことを特徴とする請求項１記載のディスク記録再生装置。
【請求項３】
アクセス用の開口部がシャッタにて覆われている第１のカートリッジケースに収納された光ディスクなどの第１のディスクと、第１のカートリッジケースよりも小さくアクセス用の開口部がシャッタにて覆われている第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置でかつ前記ディスクトレイに載置された第３のディスクの下面より低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、を備えたことを特徴とするディスク記録再生装置。
【請求項４】
第１のカートリッジ用載置部に、第１のディスクカートリッジの位置決め用孔に貫入する位置決めピンが形成されており、第２のカートリッジ用載置部に、第２のディスクカートリッジの位置決め用孔に貫入する位置決めピンが形成されていることを特徴とする請求項１〜３の何れかに記載のディスク記録再生装置。
【請求項５】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のディスク用載置部に載置された第１のディスクカートリッジに対応する第１の記録再生位置と前記第２のディスク用載置部に載置された第２のディスクカートリッジに対応する第２の記録再生位置とに昇降させて位置決めする記録再生機構部昇降手段と、を備えたことを特徴とするディスク記録再生装置。
【請求項６】
記録再生機構部昇降手段は、記録再生機構部を、第１の記録再生位置および第２の記録再生位置に加えて、ディスクトレイにより搬入動作を行う搬入動作位置との３種類の位置に昇降させて位置決め可能に構成され、搬入動作位置、第２の記録再生位置、第１の記録再生位置の順に動作させることを特徴とする請求項５に記載のディスク記録再生装置。
【請求項７】
ディスクをターンテーブル上に固定するディスククランパと、このディスククランパを回転自在に保持するクランパホルダとを設け、このクランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とする請求項６に記載のディスク記録再生装置。
【請求項８】
第１のディスクカートリッジを上方から押圧して記録再生機構部に対して定位置となるように保持する部分と、第２のディスクカートリッジを上方から押圧して記録再生機構部に対して定位置となるように保持する部分とを、クランパホルダと一体に設けたことを特徴とする請求項７に記載のディスク記録再生装置。
【請求項９】
第１のディスクカートリッジをディスクトレイに載置した状態で、第２の記録再生位置に記録再生機構部が位置した時に、クランパホルダは、前記第１のディスクカートリッジを押さえるとともに、このクランパホルダを降下させる機構中に設置されたバネの伸張にて、第２のディスクカートリッジ上面と第１のディスクカートリッジ上面との距離差を吸収させることを特徴とする請求項７または８に記載のディスク記録再生装置。
【請求項１０】
第１のディスクカートリッジを上方から押圧して記録再生機構部に対して定位置となるように保持するとともに第２のディスクカートリッジを上方から押圧して記録再生機構部に対して定位置となるように保持するクランパホルダが、前記第１のディスクカートリッジを第１の記録再生位置に対応した位置において押圧する際、および前記第２のディスクカートリッジを第２の記録再生位置に対応した位置において押圧する際に、クランパホルダを降下させる機構中に設置されたバネが所定量伸張することで、第１、第２のディスクカートリッジに対する押圧荷重を付勢することを特徴とする請求項７〜９の何れかに記載のディスク記録再生装置。
【請求項１１】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ユーザがディスクトレイ上の第１のディスクカートリッジを着脱する際にこの第１のディスクカートリッジの側縁を保持できるようにするためにこの第１のディスクカートリッジの側縁の一部を露出するように前記ディスクトレイの両側に設けた解放部と、前記ディスクを保持した状態で記録または再生する記録再生機構部と、第１のディスクカートリッジを上方から押圧して記録再生機構部に対して定位置となるように保持するとともに第２のディスクカートリッジを上方から押圧して記録再生機構部に対して定位置となるように保持するクランパホルダと、このクランパホルダが前記第２のディスクカートリッジを押圧保持した位置において、このクランパホルダの一部が、前記ディスクトレイの解放部に納まるように配設したことを特徴とするディスク記録再生装置。
【請求項１２】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のディスク用載置部に載置された第１のディスクカートリッジに対応する第１の記録再生位置と前記第２のディスク用載置部に載置された第２のディスクカートリッジに対応する第２の記録再生位置とに昇降させて位置決めする記録再生機構部昇降手段と、を備え、前記記録再生機構部昇降手段は、記録再生機構部を、前記第１の記録再生位置と前記第２の記録再生位置とに加えて、ディスクトレイにより搬入動作を行う搬入動作位置との３種類の位置に昇降させて位置決め可能に構成され、記録再生機構部が前記第２の記録再生位置にある状態において、第１、第２のディスクカートリッジを上方から押圧して記録再生機構部に対して定位置となるように保持するクランパホルダが、第２の記録再生位置に対応した位置をとるとき、このクランパホルダに保持されたディスククランパが、第１のディスク用載置部に載置された第３のディスクの上面より上方に位置することができるように、クランパホルダとディスククランパとの間に間隙を設けたことを特徴とするディスク記録再生装置。
【請求項１３】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記第１、第２のディスクカートリッジに当接してその状態を検出するスイッチを搭載したスイッチホルダと、を備え、前記スイッチホルダは、前記記録再生機構部が第２のディスクカートリッジに対応した記録再生位置に上昇移動する際に、連動して上昇移動し、第１および第２のディスクカートリッジに共に当接する位置をなすように構成したことを特徴とするディスク記録再生装置。
【請求項１４】
第２のシャッタオープナは、第１シャッタオープナと同軸に軸支され、かつ前記第１のシャッタオープナに対して係合して所定角度を保った姿勢で相対的に移動可能であり、前記第１のシャッタオープナおよび前記第２のシャッタオープナの双方を、これらを軸支する基台部材上に設けたストッパ部まで当接するようにシャッタ閉成方向に付勢するバネを配設したことを特徴とする請求項１〜４の何れかに記載のディスク記録再生装置。
【請求項１５】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とに昇降させて位置決めする記録再生機構部昇降手段と、を備え、前記記録再生機構部昇降手段は、記録再生機構部を、前記第１の記録再生位置と前記第２の記録再生位置とに加えて、ディスクトレイにより搬入動作を行う搬入動作位置との３種類の位置に昇降させて位置決め可能に構成し、前記ディスクトレイの出退動作および前記記録再生機構部昇降手段の昇降動作を共通に駆動させる駆動モータを設け、この駆動モータの駆動力により、ディスクトレイが突出した状態、ディスクトレイが筐体内に位置した状態、第１の記録再生位置、第２の記録再生位置の各位置および状態に駆動させることを特徴とするディスク記録再生装置。
【請求項１６】
ディスクトレイが突出した状態と第１の記録再生位置とを検知する第１機構検知スイッチを設け、第２の記録再生位置から第１の記録再生位置までの区間であることを検知する第２機構検知スイッチを設けたことを特徴とする請求項１５に記載のディスク記録再生装置。
【請求項１７】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とにそれぞれ昇降させて、搬入動作位置、第２の記録再生位置、第１の記録再生位置の順に位置決めする記録再生機構部昇降手段と、ディスクをターンテーブル上に固定するディスククランパと、このディスククランパを回転自在に保持するクランパホルダと、を備え、前記クランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とするディスク記録再生装置。
【請求項１８】
第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクと、前記第２のディスクとほぼ同径でカートリッジケースに収納されていない第４のディスクとの、これら４種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクと第４のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイ上面側に設けられ前記第１のディスクカートリッジの載置高さ、第３のディスクの載置高さおよび前記第２のディスクカートリッジの載置高さより低く第４のディスクを載置できこの第４のディスクの位置を略規制する第２のディスク用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とにそれぞれ昇降させて、搬入動作位置、第２の記録再生位置、第１の記録再生位置の順に位置決めする記録再生機構部昇降手段と、ディスクをターンテーブル上に固定するディスククランパと、このディスククランパを回転自在に保持するクランパホルダと、を備え、前記クランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とするディスク記録再生装置。
【発明の詳細な説明】
【０００１】
【発明の属する技術分野】
本発明は光ディスクなどのディスクに記録された信号を再生するディスク再生装置、及び光ディスクなどのディスクに信号を記録し、再生するディスク記録再生装置に関する。
【０００２】
【従来の技術】
特許登録第２８８２３２１号公報に示されるようなディスク記録再生装置が既に知られている。光ディスクなどのディスクを内蔵したカートリッジは、筐体としてのケースよりも突出した姿勢のディスクトレイ上にユーザによりセットされ、閉成指示により、ディスクトレイがケース内に移動され、ディスクカートリッジが、ケース内にセットされる。ディスク再生装置に設けられた記録再生機構部により、カートリッジ内のディスクは保持されると共に、ピックアップによってディスクの情報記録面を走査されて、記録情報が読み出される。
【０００３】
なお、以下の説明で登場する記録媒体は、１２ｃｍＣＤ及び１２ｃｍＤＶＤ等の１２ｃｍディスク、８ｃｍＣＤ及び８ｃｍＤＶＤ等の８ｃｍディスク、１２ｃｍＤＶＤカートリッジ、８ｃｍＤＶＤカートリッジであって、その概略形状を図２２〜図２４に示す。図２２（ａ）、（ｂ）に１２ｃｍＣＤ３と８ｃｍＣＤ４とを示す。１２ｃｍＤＶＤ、８ｃｍＤＶＤもほぼ同形状である。共に中央にセンタ孔５を有する。センタ孔５の直径は１５ｍｍである。
【０００４】
図２３（ａ）、（ｂ）に１２ｃｍＤＶＤカートリッジ１の平面図、側面図を示す。１２ｃｍＤＶＤカートリッジ１では、カートリッジケース１ａの内部に外径１２０ｍｍのディスク（光ディスク）２が収納されている。
図２４（ａ）、（ｂ）に８ｃｍＤＶＤカートリッジ６の平面図、側面図を示す。８ｃｍＤＶＤカートリッジ６では、１２ｃｍＤＶＤカートリッジ１のカートリッジケース１ａよりも小さいカートリッジケース６ａの内部に、外径８０ｍｍのディスク（光ディスク）７が収納されている。
【０００５】
図２３（ａ）において、光ピックアップがディスク（光ディスク）２にアクセスするための開口部９（点線で示す）は、スライドするシャッタ１０により覆われており、装置（ケース）内に装着された記録再生時においてシャッタ１０を移動させることで、開口部９が現れる構造である。１２ｃｍＤＶＤカートリッジ１を位置決めする際に使用される位置決め孔１４、１５はカートリッジ内部のディスク２の外径外に位置している。１２ｃｍＤＶＤカートリッジ１のカートリッジケース１ａの短辺寸法は約１２５ｍｍ、長辺寸法は約１３８ｍｍである。図２４（ａ）に示すように、８ｃｍＤＶＤカートリッジ６も１２ｃｍＤＶＤカートリッジ１と同様の構造であり、８ｃｍのディスク（光ディスク）７を内蔵し、スライドするシャッタ１２と、開口部１３とを有している。８ｃｍＤＶＤカートリッジ６を位置決めする際に使用される位置決め孔１６、１７はカートリッジ内部のディスク７の外径外に位置している。
【０００６】
【発明が解決しようとする課題】
しかしながら、従来のディスク記録再生装置では、１種類の形状のディスクカートリッジ（例えば１２ｃｍＤＶＤカートリッジ１）にのみ対応した構成であるため、ディスク径が異なり、カートリッジケースの外径サイズが小さいディスクカートリッジ（例えば８ｃｍＤＶＤカートリッジ６）を演奏などの再生や記録する場合、このような再生や記録が行うことができず、それぞれに専用のディスク記録再生装置が必要であった。サイズのみ異なる類似したディスクでありながら、それぞれに合った再生装置が必要では、ユーザの使い勝手を減ずる。また、ディスクカートリッジ６内部からディスク７を取り出した上で、１２ｃｍＤＶＤカートリッジ用のディスク記録再生装置にセットすることも可能であるが、煩雑であると共に取り扱いによっては光ディスク７に傷を生じやすい課題がある。
【０００７】
また、特開平７−１６１１１２号公報に記載されるようなディスク記録再生装置により、大小複数のカートリッジに対応する装置が提案されているものの、この公報においては、ディスクカートリッジの光ピックアップがアクセスする開口部を開閉可能に構成してディスクを保護するシャッタの開閉機構には言及されておらず、この点をどのようにして解決するのがが不明である点が課題としてある。大小のディスクカートリッジでは、それぞれのシャッタの開閉距離とシャッタの位置が異なり、また、ディスク搬送トレイに載置する状態において１２ｃｍディスク単体を載置する範囲より内部に小径（８ｃｍ直径）用のディスクカートリッジのシャッタが位置することから、小径カートリッジのシャッタを開閉する機構がアクセスする位置が１２ｃｍディスク載置領域の内部となり、小径カートリッジシャッタ開閉機構がトレイに１２ｃｍディスク単体を載置した場合に１２ｃｍディスクと干渉するという課題がある。
【０００８】
本発明は、シャッタを有するディスクカートリッジに対処でき、かつ、大なる１２ｃｍＤＶＤカートリッジや、小なる８ｃｍＤＶＤカートリッジなどを共に取り扱えるディスク記録再生装置を実現することを目的としている。さらには、上記、大、小、２種類のディスクカートリッジのみならず、カートリッジケースに収納されていない外径１２ｃｍのディスク（ＣＤ、ＤＶＤ等）と外径８ｃｍのディスク（ＣＤ、ＤＶＤ等）なども共通に取り扱うことの可能なディスク記録再生装置を実現することを目的としている。
【０００９】
【課題を解決するための手段】
上記課題を解決するために本発明は、アクセス用の開口部がシャッタにて覆われている第１のカートリッジケースに収納された光ディスクなどの第１のディスクと、第１のカートリッジケースよりも小さくアクセス用の開口部がシャッタにて覆われている第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、を備えたことを特徴とする。
【００１０】
この構成により、筐体より出入りするディスクトレイに第１のディスクカートリッジ、第２のディスクカートリッジのどちらか一方を選択して載置でき、筐体内に搬入可能とした。その上で、ディスクトレイの搬入動作に連動して前記シャッタを開く第１シャッタオープナと、第２シャッタオープナとがそれぞれ動作する構成とした。これにより、第１のディスクカートリッジ、第２のディスクカートリッジのどちらでも速やかに再生ないし記録を可能とする利便性の高いディスク記録再生装置を簡易な機構で実現できる。
【００１１】
【発明の実施の形態】
請求項１記載の発明は、アクセス用の開口部がシャッタにて覆われている第１のカートリッジケースに収納された光ディスクなどの第１のディスクと、第１のカートリッジケースよりも小さくアクセス用の開口部がシャッタにて覆われている第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、を備えたことを特徴とする。
【００１２】
上記構成により、それぞれシャッタを有する２種類の大きさのディスクカートリッジに対して１台のディスク記録再生装置で良好に記録や再生動作を行うことができる。
請求項２記載の発明は、請求項１記載のディスク記録再生装置において、第１のディスクカートリッジを搬入する際の、記録再生機構部が上昇して第１のディスクをターンテーブル上面に保持する動作に連動させて、第２のシャッタオープナを第１のディスクの外径外に退避させる手段を設けたことを特徴とする。
【００１３】
上記構成により、第２のシャッタオープナにより第１のディスクを傷つけてしまうような不具合を防止できる。
請求項３記載の発明は、アクセス用の開口部がシャッタにて覆われている第１のカートリッジケースに収納された光ディスクなどの第１のディスクと、第１のカートリッジケースよりも小さくアクセス用の開口部がシャッタにて覆われている第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置でかつ前記ディスクトレイに載置された第３のディスクの下面より低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、を備えたことを特徴とする。
【００１４】
上記構成により、それぞれシャッタを有する第１、第２のディスクカートリッジと、第３のディスクに対して１台のディスク記録再生装置で良好に記録や再生動作を行うことができる。
請求項４記載の発明は、請求項１〜３の何れかに記載のディスク記録再生装置において、第１のカートリッジ用載置部に、第１のディスクカートリッジの位置決め用孔に貫入する位置決めピンが形成されており、第２のカートリッジ用載置部に、第２のディスクカートリッジの位置決め用孔に貫入する位置決めピンが形成されていることを特徴とする。
【００１５】
上記構成により、第１、第２のディスクカートリッジに対してそれぞれ良好に位置決めを行うことができる。
請求項５記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とに昇降させて位置決めする記録再生機構部昇降手段と、を備えたことを特徴とする。
【００１６】
上記構成により、それぞれシャッタを有する２種類の大きさのディスクカートリッジを各ディスクカートリッジに適した位置に昇降させて位置決めした状態で良好に記録や再生の動作を行うことができる。
請求項６に記載の発明は、請求項５に記載のディスク記録再生装置において、記録再生機構部昇降手段は、記録再生機構部を、第１の記録再生位置および第２の記録再生位置に加えて、ディスクトレイにより搬入動作を行う搬入動作位置との３種類の位置に昇降させて位置決め可能に構成され、搬入動作位置、第２の記録再生位置、第１の記録再生位置の順に動作させることを特徴とする。
【００１７】
請求項７に記載の発明は、請求項６に記載のディスク記録再生装置において、ディスクをターンテーブル上に固定するディスククランパと、このディスククランパを回転自在に保持するクランパホルダとを設け、このクランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とする。
【００１８】
上記構成により、ディスクをターンテーブル上に良好に固定した状態で記録や再生の動作を行うことができる。
請求項８に記載の発明は、請求項７に記載のディスク記録再生装置において、第１のディスクカートリッジを上方から押圧して記録再生機構部に対して定位置となるように保持する部分と、第２のディスクカートリッジを上方から押圧して記録再生機構部に対して定位置となるように保持する部分とを、クランパホルダと一体に設けたことを特徴とする。
【００１９】
上記構成により、第１、第２のディスクカートリッジを良好に保持できる。
請求項９に記載の発明は、請求項７または８に記載のディスク記録再生装置において、第１のディスクカートリッジをディスクトレイに載置した状態で、第２の記録再生位置に記録再生機構部が位置した時に、クランパホルダは、前記第１のディスクカートリッジを押さえるとともに、このクランパホルダを降下させる機構中に設置されたバネの伸張にて、第２のディスクカートリッジ上面と第１のディスクカートリッジ上面との距離差を吸収させることを特徴とする。
【００２０】
上記構成により、第１のディスクカートリッジをディスクトレイに載置した状態で、第２の記録再生位置に記録再生機構部が位置した時でも、バネの伸張にて、第２のディスクカートリッジ上面と第１のディスクカートリッジ上面との距離差を吸収して、クランパホルダにて第１のディスクカートリッジを良好に押さえることができる。
【００２１】
請求項１０に記載の発明は、請求項７〜９の何れかに記載のディスク記録再生装置において、第１のディスクカートリッジを上方から押圧して記録再生機構部に対して定位置となるように保持するとともに第２のディスクカートリッジを上方から押圧して記録再生機構部に対して定位置となるように保持するクランパホルダが、前記第１のディスクカートリッジを第１の記録再生位置に対応した位置において押圧する際、および前記第２のディスクカートリッジを第２の記録再生位置に対応した位置において押圧する際に、クランパホルダを降下させる機構中に設置されたバネが所定量伸張することで、第１、第２のディスクカートリッジに対する押圧荷重を付勢することを特徴とする。
【００２２】
上記構成により、第１、第２のディスクカートリッジに対して適した押圧荷重でクランパホルダにて押圧することができる。
請求項１１に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ユーザがディスクトレイ上の第１のディスクカートリッジを着脱する際にこの第１のディスクカートリッジの側縁を保持できるようにするためにこの第１のディスクカートリッジの側縁の一部を露出するように前記ディスクトレイの両側に設けた解放部と、前記ディスクを保持した状態で記録または再生する記録再生機構部と、第１のディスクカートリッジを上方から押圧して記録再生機構部に対して定位置となるように保持するとともに第２のディスクカートリッジを上方から押圧して記録再生機構部に対して定位置となるように保持するクランパホルダと、このクランパホルダが前記第２のディスクカートリッジを押圧保持した位置において、このクランパホルダの一部が、前記ディスクトレイの解放部に納まるように配設したことを特徴とする。
【００２３】
上記構成により、ディスクトレイに対する第１のディスクカートリッジの着脱動作を解放部を通して把持したりすることで容易に行うことができる。
請求項１２に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とに昇降させて位置決めする記録再生機構部昇降手段と、を備え、前記記録再生機構部昇降手段は、記録再生機構部を、前記第１の記録再生位置と前記第２の記録再生位置とに加えて、ディスクトレイにより搬入動作を行う搬入動作位置との３種類の位置に昇降させて位置決め可能に構成され、記録再生機構部が前記第２の記録再生位置にある状態において、第１、第２のディスクカートリッジを上方から押圧して記録再生機構部に対して定位置となるように保持するクランパホルダが、第２の記録再生位置に対応した位置をとるとき、このクランパホルダに保持されたディスククランパが、第３のディスク用載置部に載置された第３のディスクの上面より上方に位置することができるように、クランパホルダとディスククランパとの間に間隙を設けたことを特徴とする。
【００２４】
上記構成により、例え、第３のディスクの上にディスククランパが載ったような姿勢となっても、ディスククランパが第３のディスクを押し下げるようなことが無くなる。
請求項１３に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記第１、第２のディスクカートリッジに当接してその状態を検出するスイッチを搭載したスイッチホルダと、を備え、前記スイッチホルダは、前記記録再生機構部が第２のディスクカートリッジに対応した記録再生位置に上昇移動する際に、連動して上昇移動し、第１および第２のディスクカートリッジに共に当接する位置をなすように構成したことを特徴とする。
【００２５】
上記構成により、第１、第２のディスクカートリッジを良好に検知することができる。
請求項１４に記載の発明は、請求項１〜４の何れかに記載のディスク記録再生装置において、第２のシャッタオープナは、第１シャッタオープナと同軸に軸支され、かつ前記第１のシャッタオープナに対して係合して所定角度を保った姿勢で相対的に移動可能であり、前記第１のシャッタオープナおよび前記第２のシャッタオープナの双方を、これらを軸支する基台部材上に設けたストッパ部まで当接するようにシャッタ閉成方向に付勢するバネを配設したことを特徴とする。
【００２６】
上記構成により、比較的簡単な構成で、第１、第２のシャッタオープナを良好に機能させることができる。
請求項１５に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクとの、少なくともこれら２種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジとのどちらか一方のディスクカートリッジを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第２のディスクカートリッジを載置できこの第２のディスクカートリッジの位置を略規制する第２のカートリッジ用載置部と、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とに昇降させて位置決めする記録再生機構部昇降手段と、を備え、前記記録再生機構部昇降手段は、記録再生機構部を、前記第１の記録再生位置と前記第２の記録再生位置とに加えて、ディスクトレイにより搬入動作を行う搬入動作位置との３種類の位置に昇降させて位置決め可能に構成し、前記ディスクトレイの出退動作および前記記録再生機構部昇降手段の昇降動作を共通に駆動させる駆動モータを設け、この駆動モータの駆動力により、ディスクトレイが突出した状態、ディスクトレイが筐体内に位置した状態、第１の記録再生位置、第２の記録再生位置の各位置および状態に駆動させることを特徴とする。
【００２７】
上記構成により、１つの駆動モータにより、ディスクトレイや記録再生機構部を良好に位置させることができる。
請求項１６に記載の発明は、請求項１５に記載のディスク記録再生装置において、ディスクトレイが突出した状態と第１の記録再生位置とを検知する第１機構検知スイッチを設け、第２の記録再生位置から第１の記録再生位置までの区間であることを検知する第２機構検知スイッチを設けたことを特徴とする。
【００２８】
上記構成により、ディスクトレイの状態や、記録再生の位置を良好に検知することができる。
請求項１７に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクとの、少なくともこれら３種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とにそれぞれ昇降させて、搬入動作位置、第２の記録再生位置、第１の記録再生位置の順に位置決めする記録再生機構部昇降手段と、ディスクをターンテーブル上に固定するディスククランパと、このディスククランパを回転自在に保持するクランパホルダと、を備え、前記クランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とする。
【００２９】
上記構成により、第１、第２のディスクカートリッジと、第３のディスクに対して１台のディスク記録再生装置にて良好に記録や再生の動作を行うことができる。
請求項１８に記載の発明は、第１のカートリッジケースに収納された光ディスクなどの第１のディスクと、第１のカートリッジケースよりも小さい第２のカートリッジケースに収納され、前記第１のディスクよりも小径である光ディスクなどの第２のディスクと、前記第１のディスクとほぼ同径でカートリッジケースに収納されていない第３のディスクと、前記第２のディスクとほぼ同径でカートリッジケースに収納されていない第４のディスクとの、これら４種類のディスクに対して記録および再生の少なくとも一方の動作を行うことのできるディスク記録再生装置であって、第１のディスクを第１のカートリッジケース内に収納してなる第１のディスクカートリッジと第２のディスクを第２のカートリッジケース内に収納してなる第２のディスクカートリッジと第３のディスクと第４のディスクとの何れか１つを、筐体よりも外部に突出した位置において選択して載置できて筐体内に搬入するディスクトレイと、前記ディスクトレイ上面側に設けられ第１のディスクカートリッジを載置できこの第１のディスクカートリッジの位置を略規制する第１のカートリッジ用載置部と、前記ディスクトレイ上面側に設けられ前記第１のディスクカートリッジの載置高さより低く第３のディスクを載置できこの第３のディスクの位置を略規制する第１のディスク用載置部と、前記ディスクトレイ上面側に設けられ前記第１のディスクカートリッジの載置高さおよび第３のディスクの載置高さより低く第２のディスクカートリッジを載置できこの第２のディスクカートリッジの位置を略規制する第２のカートリッジ用載置部と、前記ディスクトレイ上面側に設けられ前記第１のディスクカートリッジの載置高さ、第３のディスクの載置高さおよび前記第２のディスクカートリッジの載置高さより低く第４のディスクカートリッジを載置できこの第４のディスクの位置を略規制する第２のディスク用載置部と、前記ディスクトレイの筐体内への搬入動作に連動して前記第１のカートリッジケースのシャッタを開ける第１のシャッタオープナと、前記第１のシャッタオープナより低い位置に設けられ前記ディスクトレイの筐体内への搬入動作に連動して前記第２のカートリッジケースのシャッタを開ける第２のシャッタオープナと、ディスクを保持した状態で記録または再生する記録再生機構部と、前記記録再生機構部を、前記第１のカートリッジ用載置部に載置された第１のディスクカートリッジに対応する第１の記録再生位置と前記第２のカートリッジ用載置部に載置された第２のディスクカートリッジに対応する第２の記録再生位置とにそれぞれ昇降させて、搬入動作位置、第２の記録再生位置、第１の記録再生位置の順に位置決めする記録再生機構部昇降手段と、ディスクをターンテーブル上に固定するディスククランパと、このディスククランパを回転自在に保持するクランパホルダと、を備え、前記クランパホルダを、記録再生機構部の第１の記録再生位置に対応する高さと、記録再生機構部の第２の記録再生位置に対応する高さと、ディスクカートリッジ搬入時に障害とならぬように上方に退避する退避高さとの３つの位置に移動可能に構成したことを特徴とする。
【００３０】
上記構成により、第１、第２のディスクカートリッジと、第３、第４のディスクに対して１台のディスク記録再生装置にて良好に記録や再生の動作を行うことができる。
以下、本発明の実施の形態を図面を用いて説明する。
図１は本発明の実施の形態にかかるディスク記録再生装置を上方から見た平面図であり、模式的に示す。この図１においては、後述する、演奏などの再生動作や記録動作を実際に行う記録再生機構部２５のターンテーブル７２上にディスク２、３、４、７を固定する部材であるディスククランパ３０の周辺部分を省いて示している。図２は同様に側方（図１の矢印３１方向）から見た機構配置図であり、模式的に示す。
【００３１】
図１に示す状態ではディスクトレイ１１がディスク記録再生装置の筐体としてのケース３２より外部に突出している。この状態で、第１のディスクカートリッジとしての１２ｃｍＤＶＤカートリッジ１や、第２のディスクカートリッジとしての８ｃｍＤＶＤカートリッジ６、第３のディスクとしての１２ｃｍディスク（１２ｃｍＤＶＤや１２ｃｍＣＤ）３、第４のディスクとしての８ｃｍディスク（８ｃｍＤＶＤや８ｃｍＣＤ）４のどれか一つをディスクトレイ１１の各ディスク載置部に載置する。図３、図４、図５、図６、図７にディスクトレイ１１に何も載せていない場合、および１２ｃｍＤＶＤカートリッジ１、８ｃｍＤＶＤカートリッジ６、１２ｃｍディスク３、８ｃｍディスク４を載置した状態の平面図及び断面的に見た側面図を示す。図３（ａ）、（ｂ）は、どのＤＶＤカートリッジ１、６ならびにディスク３、４をもセットしていない状態である。図４（ａ）、（ｂ）は、第１のカートリッジケース１ａの内部に第１のディスクとしての外径１２０ｍｍのディスク（光ディスク）２が収納されている１２ｃｍＤＶＤカートリッジ１を載置した状態である。図５（ａ）、（ｂ）は、１２ｃｍＤＶＤカートリッジ１のカートリッジケース１ａよりも小さい第２のカートリッジケース６ａの内部に、第２のディスクとしての外径８０ｍｍのディスク（光ディスク）７が収納されている８ｃｍＤＶＤカートリッジ６を載置した状態である。図６（ａ）、（ｂ）は第３のディスクとしての１２ｃｍディスク３を載置した状態である。図７（ａ）、（ｂ）は第４のディスクとしての８ｃｍディスク４を載置した状態である。
【００３２】
図３に示すように、ディスクトレイ１１には、１２ｃｍディスク載置部１８と８ｃｍディスク載置部１９、さらに略四角形状の１２ｃｍＤＶＤカートリッジ載置部２０、８ｃｍＤＶＤカートリッジ載置部２１が形成されている。さらに、ディスクトレイ１１の１２ｃｍＤＶＤカートリッジ載置部２０に１２ｃｍＤＶＤカートリッジ１の位置決め孔１４、１５に嵌合する位置決めピン４１、４２を設置している。同様に、８ｃｍＤＶＤカートリッジ載置部２１に８ｃｍＤＶＤカートリッジ６の位置決め孔１６、１７に嵌合する位置決めピン４３、４４を設置している。また、ディスクトレイ１１の開口部２２は、ディスクトレイ１１がケース３２内の再生（演奏）位置に移動した際に、記録再生機構部２５上の光ピックアップ８がディスク２、３、４、７にアクセスするために形成されている。ケース３２より外に突出した姿勢に位置できるディスクトレイ１１はディスクトレイ駆動機構３３（図１参照）により駆動され、ケース３２内からケース３２外へ出退自在とされている。図１に示すように、ディスクトレイ駆動機構３３は、駆動モータ３４及びディスクトレイ駆動歯車３５を含むギヤ列からなる。ディスクトレイ１１の裏面には長手方向にディスクトレイ駆動歯車３５と噛み合うラック３７が点線にて示すように形成されている。また、図３に示すように、ユーザがディスクトレイ１１上に１２ｃｍＤＶＤカートリッジ１を着脱する際に、１２ｃｍＤＶＤカートリッジ１の側縁を保持し易くするために、ディスクトレイ１１はその両側が、載置された状態の１２ｃｍＤＶＤカートリッジ１の上面より低く、かつ１２ｃｍＤＶＤカートリッジ１側縁の一部を露出するように解放された解放部１３２が形成されている。
【００３３】
図１、図２に示すように、ケース３２内には記録再生機構部２５が配設されている。図２０（ａ）、（ｂ）に、記録再生機構部２５のみを抜き出した平面図、側面図を示す。記録再生機構部２５には、ディスク２、３、４、７を回転駆動するディスクモータ２６、信号を読み出す光ピックアップ８等が搭載されている。ディスクモータ２６の回転軸にはターンテーブル７２が固定されている。
【００３４】
以下、機構部品の関連を述べつつその動作を述べる。ディスクトレイ１１に１２ｃｍＤＶＤカートリッジ１がセットされた状態の動作を説明する。図４に示すように１２ｃｍＤＶＤカートリッジ１はディスクトレイ１１にセットされ、ディスクトレイ駆動機構３３（図１参照）の駆動により、ケース３２内に移動される。その移動に伴って搬送された１２ｃｍＤＶＤカートリッジ１は、基台部材５０上に設けられた１２ｃｍＤＶＤ用シャッタオープナ５１の先端部５２が、１２ｃｍＤＶＤカートリッジ１のシャッタ１０の係合部５４に当接する。当接した状態を図９に示す。ディスクトレイ１１の移動に伴い、１２ｃｍＤＶＤカートリッジ１に係合した１２ｃｍＤＶＤ用シャッタオープナ５１は、１２ｃｍＤＶＤカートリッジ１に押し込まれつつ、回転軸５５を中心に上方から見て反時計方向に回転し、シャッタ１０を開方向（図９の矢印５６方向）に移動せしめる。このときの移動途中の図を図１０に示し、ディスクトレイ１１がケース３２内に移動した状態を図１１に示す。図１１において、１２ｃｍＤＶＤカートリッジ１のシャッタ１０は、開状態である。１２ｃｍＤＶＤカートリッジ１の開口部９が露出し、内部に収納された１２ｃｍディスク２に対して光ピックアップ８がアクセス可能となる。
【００３５】
図４（ｂ）に示すように、８ｃｍＤＶＤカートリッジ６用のシャッタオープナ５７は、１２ｃｍＤＶＤ用シャッタオープナ５１とその回転軸５５を同軸に、基台部材５０上に設置されている。図２１に８ｃｍＤＶＤ用シャッタオープナ５７および１２ｃｍＤＶＤ用シャッタオープナ５１の周辺を抜き出した図（平面図、側面図）を示す。両方のシャッタオープナ５１、５７の位置関係は、８ｃｍＤＶＤ用シャッタオープナ５７が、１２ｃｍＤＶＤ用シャッタオープナ５１の下方向約６．３ｍｍの位置に重なった形で設置されている。両方のシャッタオープナ５１、５７は共に、ねじりコイルバネ５８により、矢印５９方向に回転するよう付勢されており、ストッパ４５に当接している。また、８ｃｍＤＶＤ用シャッタオープナ５７のピン６０は、１２ｃｍＤＶＤ用シャッタオープナ５１の長孔６１に嵌入している。従って８ｃｍＤＶＤ用シャッタオープナ５７は１２ｃｍＤＶＤ用シャッタオープナ５１に対して、図示する角度６２、６３の量だけ回転可能である。
【００３６】
ディスクトレイ１１がケース３２外に突出した状態では、基台部材５０上のストッパ４５に、１２ｃｍＤＶＤ用シャッタオープナ５１、８ｃｍＤＶＤ用シャッタオープナ５７がそれぞれ当接し、図４及び図２１に示す姿勢に位置している。ディスクトレイ１１の搬入移動に伴い、１２ｃｍＤＶＤカートリッジ１が１２ｃｍＤＶＤ用シャッタオープナ５１と当接して、シャッタ１０が開方向（図９、矢印５６）に移動され始める。そして、１２ｃｍＤＶＤ用シャッタオープナ５１が前記角度６２の量だけ回転したとき、８ｃｍＤＶＤ用シャッタオープナ５７のピン６０が１２ｃｍＤＶＤ用シャッタオープナ５１の長孔６１の端壁部に当接するため、８ｃｍＤＶＤ用シャッタオープナ５７も１２ｃｍＤＶＤ用シャッタオープナ５１に追随して回転し始める。図１０は、８ｃｍＤＶＤ用シャッタオープナ５７が１２ｃｍＤＶＤ用シャッタオープナ５１に追随して回転を始める位置関係の状態図である。ディスクトレイ１１が移動を終了した状態では、図１１に示す位置まで８ｃｍＤＶＤ用シャッタオープナ５７も回転する。
【００３７】
次に、ディスクトレイ１１がケース３２内に移動完了後、後述する記録再生機構部昇降機構６４が低位置に退避していた記録再生機構部２５を上昇させる。ここで、図１などに示す記録再生機構部昇降機構６４は、昇降カム６５を有したリング部材６６などを備えており、このリング部材６６が、ディスクトレイ駆動機構３３の駆動モータ３４により駆動されることにより主として機能する。ディスクトレイ駆動機構３３に設けられているディスクトレイ駆動歯車３５は、ディスクトレイ１１をケース３２内まで移動させた後には、ディスクトレイ１１のラック３７からかみ合いが外れて、リング部材６６の外周部歯車４６とかみ合うことで記録再生機構部昇降機構６４を駆動させる。ここでは、ディスクトレイ駆動歯車３５のかみ合い切換の機構については詳述しない。
【００３８】
図２５にリング部材６６の概略形状を示す。図２５（ａ）〜（ｅ）は、平面図と２方向からの側面図、さらに、側面に形成された複数のカム溝８３、１１３、１１４や昇降カム６５を直線に展開したカム形状を示す図（側面図と上面図）である。図２０に示すように、記録再生機構部２５は、その外周にほぼ等間隔に３箇所の係合ピン６７、６８、６９を有している。係合ピン６７、６８、６９は、リング部材６６の昇降カム６５に係合しているとともに、基台部材５０のガイド部４７、４８、４９に係合して鉛直方向に移動自在な姿勢でガイドされている。ガイド部４７、４８、４９は、図４に見ることができるが、上方向に開口した溝である。リング部材６６は、記録再生機構部２５の周囲を時計方向に回転し、その側面の昇降カム６５の回転に従って記録再生機構部２５が昇降するように構成されている。記録再生機構部２５の係合ピン６７、６８、６９が、鉛直方向に基台部材５０のガイド部４７、４８、４９により案内され、昇降カム６５に従って係合ピン６７、６８、６９がＡ点７０からＢ点７１（図２５（ｅ）参照）へ移動することで、記録再生機構部２５は、ほぼ７ｍｍ上昇する。この高さ位置では、まだ、記録再生機構部２５のターンテーブル７２に１２ｃｍＤＶＤカートリッジ１内の１２ｃｍディスク２は載置されない。
【００３９】
次に、図１などに示されているスイッチホルダ８０の動作を述べる。図１に示すように、スイッチホルダ８０は、スイッチ７３、７４、７５、７６、７７、７８を搭載しており、支軸部８１によって基台部材５０に軸支されて回転動作可能である。さらに、スイッチホルダ８０の一端にある軸部８２がリング部材６６のカム溝８３と係合している。前記リング部材６６のＡ点７０からＢ点７１への移動動作と同タイミングでスイッチホルダ８０は後述する低位置より上昇して、水平状態である図２６（ｂ）に示す状態となる。図２６（ａ）、（ｂ）は、図１における矢印１１０方向からディスク記録再生装置を見た図であり、スイッチホルダ８０の周辺を模式的に示す。図２６（ａ）は、スイッチホルダ８０が、低位置に退避した状態であり、軸部８２は、カム溝６６のＫ点１１１に位置する。図２６（ｂ）は、スイッチホルダ８０が、上昇して水平状態となった場合を示しており、軸部８２は、カム溝６６のＬ点１１２に位置する。図２６（ｂ）に示すようにスイッチホルダ８０が水平姿勢となった状態では、スイッチホルダ８０上のスイッチ７３、７４、７５は、ディスクトレイ１１の孔１４０（図１参照）を通過して１２ｃｍＤＶＤカートリッジ１と接触しており、１２ｃｍＤＶＤカートリッジ１の状態を検出する。ここで、カートリッジの状態とは、具体的には、ライトプロテクト検知、カートリッジの動作面検知、カートリッジの有無の検知の各状態であり、これらの状態をスイッチ７３、７４、７５にて検出する。
【００４０】
また、図１に示すように、ケース３２内におけるディスクトレイ駆動機構３３の近傍箇所には第１の機構検知スイッチ（ＳＷ１）１３８が設けられ、スイッチホルダ８０の下方には第２の機構検知スイッチ（ＳＷ２）１３９が設けられている。図８は、これらの第１の機構検知スイッチ（ＳＷ１）１３８および機構検知スイッチ（ＳＷ２）１３９の動作と駆動モータ３４との回転方向の関係を示す図である。図８に示すように、第１の機構検知スイッチ（ＳＷ１）１３８は、このスイッチを直接駆動する部材を図示していないが、ディスクトレイ１１が突出した状態でオンすると共に、リング部材６６が回転して、第１の記録再生位置に対応する位置に移動したときにオンする。第２の機構検知スイッチ（ＳＷ２）は、スイッチホルダ８０が水平状態に移動するときにオンする。ディスク記録再生装置に設けられている動作制御部（図示せず）は、この２個の機構検知スイッチ１３８、１３９と、前述のスイッチホルダ８０のカートリッジ有無の検知スイッチ７５、７８によって動作を制御している。
【００４１】
スイッチ７５によって１２ｃｍＤＶＤカートリッジ１の有無を検知し、この際に１２ｃｍＤＶＤカートリッジ１が載置されていることを検知した場合には、この後、リング部材６６を駆動モータ３４によってさらに回転させ、記録再生機構部２５をＢ点７１からＣ点８４に上昇させる。この上昇した位置（退避位置より１４．２ｍｍ高さの位置：第１の再生記録位置）で記録再生機構部２５上のターンテーブル７２に１２ｃｍＤＶＤカートリッジ１内のディスク２が載置されると同時に、上方からディスククランパ３０によってディスク２が保持される。ディスククランパ３０はターンテーブル７２のセンタに設けられた磁石８５と磁気的に吸着し、その間にディスク２を挟持する。
【００４２】
この時のクランパホルダ８６の動作と、その機構構成を述べる。
図２７は、リング部材６６側面の各カム溝８３、１１３、１１４にスイッチホルダ８０、記録再生機構部２５、第１アーム部材８７、第２アーム部材８８がそれぞれ係合した状態を抜き出した平面図である。図２８は、基台部材５０とクランパホルダ８６、第１アーム部材８７、第２アーム部材８８を抜き出した図であり、（ａ）は組み立てた状態の平面図、（ｂ）はクランパホルダ８６と第２アーム部材８８等を側面から見た図、（ｃ）はクランパホルダ８６、ディスククランパ３０、ディスクトレイ１１等を後方から見た図である。クランパホルダ８６にはディスククランパ３０が回転自在に保持されている。図２７に示すように、第１アーム部材８７の軸部１１５がリング部材６６のカム溝１１３に係合し、第２アーム部材８８の軸部１１６がリング部材６６のカム溝１１４に係合する。また、図２８に示すように、第１、第２アーム部材８７、８８の回転軸１１７、１１８は、基台部材５０に回転自在に軸支されている。第１アーム部材８７、第２アーム部材８８は、基台部材５０上において、リング部材６６のカム溝１１３、１１４によって駆動され、回転軸１１７、１１８を中心に上下方向に動作する。クランパホルダ８６は、そのガイドリブ１２８、１２９が基台部材５０のガイド溝１２６、１２７によって鉛直方向に移動自在にガイドされている。第２アーム部材８８の先端１１９はクランパホルダ８６の下端１２０にバネ９５によって、密着するように付勢されている。バネ９５はねじりコイルバネであり、クランパホルダ８６の軸１２２、１２３にセットされ、一端１２４がクランパホルダ８６に、もう一端１２５が第２アーム部材８８に掛けている。
【００４３】
図２８では、クランパホルダ８６が最上部に位置した状態を示している。第２アーム部材８８の先端１１９は、上方移動時にはクランパホルダ８６と接触して上昇し、下方移動時にはクランパホルダ８６と一体的に下降するが、クランパホルダ８６が１２ｃｍＤＶＤカートリッジ１ないし８ｃｍＤＶＤカートリッジ６の上面に接触した後は、バネ９５のたわみにより先端１１９がクランパホルダ８６の下端１２０から離間可能な構成である。第１アーム部材８７も同様の機構関係で配置されている。図２８に示すクランパホルダ８６は最上部に位置し、ディスクトレイ１１が移動するディスク搬送動作と干渉しない状態であり、図２９にクランパホルダ８６が降下した状態を示す。図２９では、クランパホルダ８６に下方に突出するように設けられた凸部９１、９２、９３、９４で１２ｃｍＤＶＤカートリッジ１の上面を押さえており、下方に回動した第２アーム部材８８の先端１１９はクランパホルダ８６下端１２０に対して間隔を有している。従ってバネ９５により１２ｃｍＤＶＤカートリッジ１を加圧する荷重は決定される。
【００４４】
クランパホルダ８６と結合された第１、第２アーム部材８７、８８の軸部１１５、１１６は、記録再生機構部２５がＡ点７０からＢ点７１に移動するのと同時のタイミングでまず、カム溝１１３、１１４のＥ点８９からＦ点９０へ移動して、下降する。クランパホルダ８６は降下し、１２ｃｍＤＶＤカートリッジ１上面を４カ所の凸部９０、９１、９２、９３で押圧、保持する。ただし、前記したように第１、第２アーム部材８７、８８とクランパホルダ８６とはそれぞれバネ９５で結合されており、一定荷重以上はかからぬ構成である。図２９はこのときの状態を示す図である。１２ｃｍＤＶＤカートリッジ１を加圧したバネ９５は角度９６で示した角度の変形量でクランパホルダ８６の加圧荷重を印加している。このクランパホルダ８６により押圧保持されるので、スイッチ７３、７４、７５のバネ力によって１２ｃｍＤＶＤカートリッジ１がディスクトレイ１１上面から持ち上げられることもなく、スイッチ７３、７４、７５の検知動作を安定して行うことができる。つぎに、記録再生機構部２５がリング部材６６の昇降カム６５のＢ点７１からＣ点８４に移動するのと同時のタイミングで第１、第２アーム部材８７、８８の係合軸１１５、１１６はＦ点９０からＧ点９７へ移動する。第１、第２アーム部材８７、８８の回動に従ってバネ９５の変形がゆるみ、図３０において角度１３０に対応する荷重で１２ｃｍＤＶＤカートリッジ１上面をクランパホルダ８６が下方に押圧し、１２ｃｍＤＶＤカートリッジ１が加圧保持される。この場合には、間隔１４２だけ第２アーム部材８８の先端１１９とクランパホルダ８６下端１２０は離れており（第２アーム部材８８の先端も同様）、前記加圧荷重はバネ９５に規定される。同時に、クランパホルダ８６に回転自在に保持されているディスククランパ３０が、ディスク２をターンテーブル７２上に保持する。この後、記録再生機構部２５は、収納されているディスク２に対して再生ないし記録動作を行う。
【００４５】
ここで８ｃｍＤＶＤ用シャッタオープナ５７の退避動作について述べる。図２７における８ｃｍＤＶＤ用シャッタオープナ５７の状態は、図１１に示す１２ｃｍＤＶＤカートリッジ１がケース３２内に搬入された時の状態を示すものである。リング部材６６のカム部９９は８ｃｍＤＶＤ用シャッタオープナ５７を駆動するカムである。記録再生機構部２５における昇降カム６５のＢ点７１からＣ点８４へ移動による上昇に対して若干早いタイミングで、８ｃｍＤＶＤ用シャッタオープナ５７の基部側に設けられたピン１３１は時計方向に回転するリング部材６６の前記カム部９９に駆動されて、Ｈ点１００からＩ点１０１（図２５に示す）へ移動する。図１２に示す８ｃｍＤＶＤ用シャッタオープナ５７の位置はＩ点１０１まで回転移動後の位置である。このように８ｃｍＤＶＤ用シャッタオープナ５７が記録再生機構部２５の光ピックアップ８の移動領域外位置へ退避するので、記録再生機構部２５が１２ｃｍＤＶＤカートリッジ１に対応する位置へ上昇してもその光ピックアップ８が８ｃｍＤＶＤ用シャッタオープナ５７と干渉することはない。
【００４６】
次に、図５に示すように、８ｃｍＤＶＤカートリッジ６を、突出したディスクトレイ１１にセットした場合の動作を述べる。１２ｃｍＤＶＤカートリッジ１の場合と同様に、突出した位置にあるディスクトレイ１１は、ディスクトレイ駆動機構３３に駆動されてケース３２外からケース３２内へ移動される。その移動に伴って搬送された８ｃｍＤＶＤカートリッジ６には、図１８に示すように、基台部材５０上にセットされた８ｃｍＤＶＤ用シャッタオープナ５７の先端部４０が、８ｃｍＤＶＤカートリッジ６のシャッタ１２の係合部５３に当接する。ディスクトレイ１１の移動に伴い、８ｃｍＤＶＤカートリッジ６に係合した８ｃｍＤＶＤ用シャッタオープナ５７は、８ｃｍＤＶＤカートリッジ６に押し込まれつつ、回転軸５５を中心に上方から見て反時計方向に回転し、シャッタ１２を開方向（図１８における矢印５６方向）に移動せしめる。この後、ディスクトレイ１１がケース３２内に移動した後の状態を図１９に示す。８ｃｍＤＶＤカートリッジ６のシャッタ１２は、開状態である。８ｃｍＤＶＤカートリッジ６の開口部１３が露出し、光ピックアップ８が、内部のディスク７に対してアクセス可能となる。このとき、１２ｃｍＤＶＤカートリッジ１用のシャッタオープナ５１は、ディスクトレイ１１に設けられた半円状の当接部１０３に押されて、図１９に示す位置まで移動する。
【００４７】
次に、記録再生機構部２５が前述のように上昇する。１２ｃｍＤＶＤカートリッジ１の場合と同様に、リング部材６６の昇降カム６５に従って、記録再生機構部２５は上昇する。記録再生機構部２５は、リング部材６６の回転により昇降カム６５に従ってＡ点７０からＢ点７１へ移動し、ほぼ７ｍｍ上昇する。この位置（第２の再生記録位置）において、記録再生機構部２５のターンテーブル７２上に８ｃｍＤＶＤカートリッジ６内のディスク７が載置され、クランパホルダ８６、ディスククランパ３０は前述の機構により降下し、ディスク７をターンテーブル７２上に保持する。また、スイッチ７３、７４、７５、７６、７７、７８を搭載したスイッチホルダ８０も同様に前記リング部材６６のＡ点７０からＢ点７１への移動動作と同時に上昇し、水平状態である図２６（ｂ）に示す状態となる。図２６（ｂ）に示すスイッチホルダ８０の状態では、スイッチホルダ８０上のスイッチ７６、７７、７８はディスクトレイ１１の孔１４１を通過して８ｃｍＤＶＤカートリッジ６と接触する位置であり、８ｃｍＤＶＤカートリッジ６の状態を検出する。具体的には、ライトプロテクト検知、カートリッジの動作面検知、カートリッジの有無等を検出する。スイッチ７８によって８ｃｍＤＶＤカートリッジ６の有無を検知し、この際、８ｃｍＤＶＤカートリッジ６が載置されていることを検知した場合には、この後に、記録再生機構部２５によって、内部に収納されたディスク７に対して再生ないし記録動作が行われる。
【００４８】
このときのクランパホルダ８６の動作を再度詳述すると、前記同様記録再生機構部２５が昇降カム６５のＡ点７０からＢ点７１に移動するのと同時のタイミングで、カム溝１１３、１１４のＥ点８９からＦ点９０へ移動する第１、第２のアーム部材８７、８８の先端１１９の移動に従って降下し、図３１に示すように、８ｃｍＤＶＤカートリッジ６の上面を４カ所の凸部１０６、１０７、１０８、１０９で下方に押圧し、８ｃｍＤＶＤカートリッジ６が再生中または記録中に第２の再生記録位置から不要に動かぬように固定する。８ｃｍＤＶＤカートリッジ６はクランパホルダ８６により押圧保持されるので、スイッチ７６、７７、７８のバネ力によって持ち上げられることもなく、このスイッチ７６、７７、７８の検知動作を安定して行うことができる。また、同時に、クランパホルダ８６に回転自在に保持されているディスククランパ３０も降下し、前記したとおり、内部のディスク７をターンテーブル７２上に保持する。この後、記録再生機構部２５はディスク７に対して再生ないし記録動作を行う。なお、このように記録再生機構部２５が第２の記録再生位置にある状態においては、８ｃｍＤＶＤカートリッジ６を保持する状態のクランパホルダ８６は、その一部（図２８、図３１に示す１３３、１３４）が、解放部１３２（図１〜図３参照）に納まるように構成されている。
【００４９】
次に、図６に示すように、１２ｃｍＣＤや１２ｃｍＤＶＤなどの単体の１２ｃｍディスク３を、突出したディスクトレイ１１にセットした場合の動作を述べる。前記の場合と同様に、突出した位置にあるディスクトレイ１１は、ディスクトレイ駆動機構３３に駆動されてケース３２外からケース３２内へ移動する。この時のディスクトレイ１１の動作の順に各状態を図６、図１３、図１４、図１５、図１６、図１７に示す。図１３に示すように、ディスクトレイ１１の移動に伴い、ケース３２内に移動する１２ｃｍディスク３の下方に、基台部材５０上の８ｃｍＤＶＤ用シャッタオープナ５７の先端部４０が進入する。また、１２ｃｍＤＶＤ用シャッタオープナ５１は、１２ｃｍディスク３の上方に進入する。ディスクトレイ１１の移動に伴い、ディスクトレイ１１の半円状の当接部１０３が１２ｃｍＤＶＤ用シャッタオープナ５１にＪ点１０４（図１４参照）で当接し、１２ｃｍＤＶＤ用シャッタオープナ５１はディスクトレイ１１の当接部１０３に押し込まれて回転する。そして、図１５に示すように、この１２ｃｍＤＶＤ用シャッタオープナ５１の回転動作に伴って、８ｃｍＤＶＤ用シャッタオープナ５７も前述の角度６２だけ遅れて回転する。この後、ディスクトレイ１１が移動を完了した状態を図１６に示す。
【００５０】
次に、記録再生機構部昇降機構６４が記録再生機構部２５を上昇させる。１２ｃｍＤＶＤカートリッジ１の場合と同様に、リング部材６６の昇降カム６５に従って、記録再生機構部２５は上昇する。昇降カム６５に従ってＡ点７０からＢ点７１へ移動し、記録再生機構部２５は、ほぼ７ｍｍ上昇する。この位置において、１２ｃｍＤＶＤカートリッジ１の場合と同様に、記録再生機構部２５のターンテーブル７２上に１２ｃｍディスク３はまだ載置されていない。スイッチ７３、７４、７５、７６、７７、７８を搭載したスイッチホルダ８０も同様に前記リング部材６６のＡ点７０からＢ点７１への移動動作と同時に上昇し、水平状態である図２６（ｂ）の状態となる。しかし、このときには、１２ｃｍＤＶＤカートリッジ１、８ｃｍＤＶＤカートリッジ６のどちらも載置されていないため、スイッチ７３、７４、７５、７６、７７、７８は、カートリッジ載置状態の出力を出さない。このことで、１２ｃｍＤＶＤカートリッジ１、８ｃｍＤＶＤカートリッジ６のどちらもセットされていないことを検知した後、リング部材６６を駆動モータ３４によってさらに回転させ、記録再生機構部２５をＢ点７１からＣ点８４（１４．２ｍｍ高さの位置、第１の再生記録位置）に上昇させる。このときのクランパホルダ８６の動作も前述した１２ｃｍＤＶＤカートリッジ１の場合と同様である。この上昇した位置で記録再生機構部２５上のターンテーブル７２に１２ｃｍディスク３は載置されると同時に、ディスククランパ３０によって保持される（図３２参照）。そして、記録再生機構部２５によってディスク３に対して再生ないし記録動作が行われる。このとき、図１７に示すように、８ｃｍＤＶＤ用シャッタオープナ５７は、前述した１２ｃｍＤＶＤカートリッジ１の場合と同様に退避するので、記録再生機構部２５、光ピックアップ８と干渉することはない。上述のように、１２ｃｍディスク３の場合でも、基本の機構動作は、１２ｃｍＤＶＤカートリッジ１の場合と同じである。
【００５１】
次に、図７に示すように、８ｃｍＣＤや８ｃｍＤＶＤなどの８ｃｍディスク４を、突出状態のディスクトレイ１１にセットした場合の動作を述べる。前記の場合と同様に、突出した位置にあるディスクトレイ１１は、ディスクトレイ駆動機構３３に駆動されてケース３２外からケース３２内へ移動する。ディスクトレイ１１の移動に伴い、前述の１２ｃｍディスク３の場合と同様にディスクトレイ１１の当接部１０３が１２ｃｍＤＶＤ用シャッタオープナ５１にＪ点１０４で当接し、１２ｃｍＤＶＤ用シャッタオープナ５１はディスクトレイ１１に押し込まれて回転する。１２ｃｍＤＶＤ用シャッタオープナ５１の回転に伴って８ｃｍＤＶＤ用シャッタオープナ５７も回転する。この後、記録再生機構部２５が上昇して第１の再生記録位置で記録再生する動作、８ｃｍＤＶＤ用シャッタオープナ５７が退避する動作は、１２ｃｍディスク３の場合と同様である。
【００５２】
請求項１記載の発明に関連して説明する。上述のように、１２ｃｍＤＶＤカートリッジ１、８ｃｍＤＶＤカートリッジ６は、ディスクトレイ１１への載置高さが異なる。この構造に対応して、１２ｃｍＤＶＤカートリッジ１、８ｃｍＤＶＤカートリッジ６に対応する専用のシャッタオープン機構（シャッタオープナ５１、５７）を設けたものである。これにより、シャッタ１０、１２を開く移動量の異なる２種のディスクカートリッジ１、６を同一のディスク記録再生装置で扱うことが可能になった。
【００５３】
請求項２記載の発明に関連して説明する。上述のように８ｃｍＤＶＤカートリッジ６のみ記録再生高さが異なるようにし、１２ｃｍＤＶＤカートリッジ１、１２ｃｍディスク３、８ｃｍディスク４の記録再生などの際には、８ｃｍＤＶＤ用シャッタオープナ５７を、１２ｃｍディスク２、３よりも外径外に退避させる機構を設けたことで、２種類のディスクカートリッジ１、６に対応することを可能にした。８ｃｍＤＶＤカートリッジ６を記録再生する際には、８ｃｍＤＶＤ用シャッタオープナ６７が退避しない選択的動作を簡単な機構で可能にした。８ｃｍＤＶＤシャッタオープナ５７、１２ｃｍＤＶＤシャッタオープナ５１は、記録再生時にそれぞれのディスクカートリッジ１、６のシャッタを開状態に保持する機能を有しており、ディスクカートリッジ１、６から離間するように構成するとシャッタ１０、１２の開状態を保持できない。したがって、上述のように８ｃｍＤＶＤカートリッジ６を記録再生するときには、８ｃｍＤＶＤ用シャッタオープナ５７が退避しない（カートリッジから離間しない）機構とすることで、円滑な記録再生動作を可能にした。
【００５４】
請求項３記載の発明に関連して説明する。上述のように、８ｃｍＤＶＤカートリッジ６のディスクトレイ１１への載置高さは、１２ｃｍディスク３の載置高さより低い。このことにより、８ｃｍＤＶＤ用シャッタオープナ５７をディスクトレイ１１に載置された状態の１２ｃｍディスク３よりも低い位置に設置することを可能にした。平面的に見て、８ｃｍＤＶＤカートリッジ６の４カ所の角部は１２ｃｍディスク３の外径外に位置するが、シャッタ１２は、１２ｃｍディスク３の内部に位置する。８ｃｍＤＶＤ用シャッタオープナ５７は平面的に１２ｃｍディスク３と重なる。８ｃｍＤＶＤ用シャッタオープナ５７を１２ｃｍディスク３とほぼ同じ高さに設置し、１２ｃｍディスク３を載置した時の搬送動作においては１２ｃｍディスク３の端面にて８ｃｍＤＶＤ用シャッタオープナ５７を押し込み、退避させる構成が考えられるが、１２ｃｍディスク３が軽量ゆえ、８ｃｍＤＶＤ用シャッタオープナ５７に付勢されたバネ力によりディスクトレイ１１の１２ｃｍディスク載置部１８から押し出される事故が生じやすい。このような不具合を生じないように、８ｃｍＤＶＤカートリッジ６のディスクトレイ１１への載置高さを、１２ｃｍディスク３の載置高さより低くした上で、８ｃｍＤＶＤ用シャッタオープナ５７をディスクトレイ１１に載置された状態の１２ｃｍディスク３よりも低い位置に設置することで、ディスクトレイ１１の搬送動作において８ｃｍＤＶＤ用シャッタオープナ５７が１２ｃｍディスク３と干渉しない機構にすることができた。従って、搬送動作時に８ｃｍＤＶＤ用シャッタオープナ５７が１２ｃｍディスク３に傷を付けることはなく、軽量な１２ｃｍディスク３を、１２ｃｍディスク載置部１８外に押し出してしまうこともない。
【００５５】
また、８ｃｍＤＶＤカートリッジ載置部２１を低くした他の効果は、８ｃｍＤＶＤカートリッジ６の位置決めピン４３、４４を８ｃｍＤＶＤカートリッジ載置部２１に１２ｃｍディスク３と干渉することなく設置できることである。位置決めピン４３、４４の先端高さは、１２ｃｍディスク載置部１８に載置した１２ｃｍディスク３の下面より低く、干渉しない。位置決めピン４３、４４を設置したことで、８ｃｍＤＶＤカートリッジ載置部２１に８ｃｍＤＶＤカートリッジ６をユーザがセットする際、位置決めピン４３、４４に一致する向きにのみセットが可能になり、８ｃｍＤＶＤカートリッジ６をセットする向き、前後や裏表を間違えることがない。
【００５６】
請求項４記載の発明に関連して説明する。ディスクトレイ１１の１２ｃｍＤＶＤカートリッジ載置部２０に１２ｃｍＤＶＤカートリッジ１の位置決め孔１４、１５に嵌合する位置決めピン４１、４２を設置している。同様に８ｃｍＤＶＤカートリッジ載置部２１に８ｃｍＤＶＤカートリッジ６の位置決め孔１６、１７に嵌合する位置決めピン４３、４４を設置している。前述した、請求項３の発明に関連して説明したように、ユーザはこのことにより、１２ｃｍＤＶＤカートリッジ１、８ｃｍＤＶＤカートリッジ６のどちらをセットする際にも向きを間違えることがない。また、両方の載置部２０、２１に共に位置決めピン４１、４２、４３、４３を設置したことにより、２種のディスクカートリッジ１、６のどちらも同じセット手順にできる点もユーザの操作性向上に資する。また、１２ｃｍＤＶＤカートリッジ１、８ｃｍＤＶＤカートリッジ６のどちらもディスク記録再生装置に対して正確に位置決めがなされるので、１２ｃｍＤＶＤ用シャッタオープナ５１、８ｃｍＤＶＤ用シャッタオープナ５７が両ディスクカートリッジ１、６のシャッタ１０、１２に正確にアクセスできて、動作信頼性が向上する。
【００５７】
請求項５記載の発明に関連して説明する。上述のように、８ｃｍＤＶＤカートリッジ６を演奏する際の記録再生機構部２５の位置は、他のメディア、１２ｃｍＤＶＤカートリッジ１、１２ｃｍディスク３単体、８ｃｍディスク４単体を演奏する位置と異なり、低い。この構成により、ディスクトレイ１１に載置した状態のままで、８ｃｍＤＶＤカートリッジ６を演奏でき、単純な機構、シンプルな動作を可能にし、動作信頼性の向上、機構コストの低減が可能である。記録再生機構部２５の記録再生位置を共通にする構成を採用しようとすると、８ｃｍＤＶＤカートリッジをケース内に搬入後、１２ｃｍＤＶＤカートリッジの演奏高さまで上昇させて高さを合わせる必要を生じる。実際には８ｃｍＤＶＤカートリッジを保持、載置する位置決めピン部分周辺をディスクトレイと一体である上述した実施の形態の構造から分離して別部品で構成し、昇降可能に構成することになり、このような構成を採用すると、別部品化による部品数の増加、別途位置決めピン昇降機構の付加による複雑化と部品数増加が必要となり、ディスク記録再生装置の複雑化及びコストアップを生じる。また、ディスクトレイの美観の点でも複雑な構成は望ましくない。また、位置決めピンが上昇する場合に１２ｃｍディスクや１２ｃｍＤＶＤカートリッジとの干渉を回避するために、８ｃｍＤＶＤカートリッジの載置を検出して８ｃｍＤＶＤカートリッジのみを選択的に持ち上げる必要があることから、８ｃｍＤＶＤカートリッジ載置状態の検出機構と選択的位置決めピン上昇動作機構を付加する必要があり、選択的動作を必要とする場合には、上述のような１個の駆動モータによる連続動作の機構により構成することが難しく、別途選択的位置決めピン上昇動作機構の駆動用にモータを増す必要が有る。したがって、モータ数の増加によるコストアップを来す。また、演奏時に８ｃｍＤＶＤ用シャッタオープナが８ｃｍＤＶＤカートリッジのシャッタに係合してシャッタの開状態を維持する必要が有ることから、８ｃｍＤＶＤ用シャッタオープナが８ｃｍＤＶＤカートリッジの上昇に追随して係合しつつ上昇する必要があることも、上述した実施の形態の構成と比較して機構の複雑化を招く。
【００５８】
これに対して、本発明によれば、８ｃｍＤＶＤカートリッジ６を演奏する際の記録再生機構部２５の位置を、他のメディア、１２ｃｍＤＶＤカートリッジ１、１２ｃｍディスク３単体、８ｃｍディスク４単体を記録再生する位置と変えて低くし、ディスクトレイ１１への載置状態において保持して記録再生する構成としたことで、１個の駆動モータ３４による連続的動作の機構により４種のメディアに対応でき、かつ単純な動作信頼性の高い機構、コストのかからぬ機構を実現できる。
【００５９】
請求項６記載の発明に関連して説明する。上述のように、４種のメディア、８ｃｍＤＶＤカートリッジ６、１２ｃｍＤＶＤカートリッジ１、１２ｃｍディスク３単体、８ｃｍディスク４単体のどの場合においてもディスク記録再生装置の基本動作は共通である。まず「搬入動作」、「記録再生機構部２５の７ｍｍ上昇動作（第２記録再生位置）とクランパホルダ８６の降下動作」、続いて「記録再生機構部２５の第１の記録再生位置への上昇動作とクランパホルダ８６の所定量の上昇動作」を順に実行する。８ｃｍＤＶＤカートリッジ６の場合には、「搬入動作」、「記録再生機構部２５の７ｍｍ上昇動作（第２記録再生位置）とクランパホルダ８６の降下動作」の２段階により記録再生可能な機構状態となるが基本の動作順は変わらない。他のメディアの場合は、継続して「記録再生機構部２５の第１の記録再生位置への上昇動作とクランパホルダ８６の所定量の上昇動作」を行い、記録再生可能な機構状態となる。このように、基本の機構動作順を共通に構成したため、単一の駆動モータ３４により連続の動作機構、駆動モータ３４の時計方向への回転で、「搬入動作」、「記録再生機構部２５の７ｍｍ上昇動作（第２の記録再生位置）とクランパホルダ８６の降下動作」、「記録再生機構部２５の第１の記録再生位置への上昇動作とクランパホルダ８６の所定量の上昇動作」を順に行い、反時計方向の回転で上記の逆順の動作を行う機構にすることも可能となった。形状の異なる２種のカートリッジと２種の単体ディスク、計４種を演奏可能な装置に関わらず、メディア搬送機構の駆動モータを駆動モータ３４一個に集約した単純で動作信頼性が高く、コストのかからぬ機構とすることも可脳となった。
【００６０】
請求項７記載の発明に関連して説明する。上述のように、ディスククランパ３０を搭載したクランパホルダ８６は、記録再生機構部２５を８ｃｍＤＶＤカートリッジ６に対応する位置まで上昇させた第２の記録再生位置に対応する位置、記録再生機構部２５を１２ｃｍＤＶＤカートリッジ１に対応する位置まで上昇させた第１の記録再生位置、そして搬入動作において干渉しないように退避した最上部の位置の３位置を移動可能に構成されている。この構成により、１２ｃｍＤＶＤカートリッジ１内の１２ｃｍディスク２を第１の記録再生位置で記録再生可能に保持でき、８ｃｍＤＶＤカートリッジ６内の８ｃｍディスク７を第２の位置で記録再生可能に保持できる。共通のディスククランパ３０にて、２種のカートリッジ、さらに２種のディスク単体の記録再生を可能にする。この機構構成を設けたことにより８ｃｍＤＶＤカートリッジ６と１２ｃｍＤＶＤカートリッジ１との記録再生高さ位置をそれぞれディスクトレイ１１の各載置部２０、２１の高さに対応した高さ位置にすることを可能にし、２種のカートリッジの記録再生を一台のディスク記録再生装置で可能にしつつ、前述のように簡単な機構で動作信頼性が高く、コストがかからぬ機構にできる。
【００６１】
請求項８記載の発明に関連して説明する。請求項７記載の発明に関連して記述した説明と同様に、ディスククランパ３０を搭載したクランパホルダ８６は、記録再生機構部２５を８ｃｍＤＶＤカートリッジ６に対応する位置まで上昇させた第２の記録再生位置に対応する位置、記録再生機構部２５を１２ｃｍＤＶＤカートリッジ１に対応する位置まで上昇させた第１の記録再生位置、そして搬入動作において干渉しないように退避した最上部の位置の３位置を移動可能に構成されている。クランパホルダ８６の凸部９１、９２、９３、９４は、１２ｃｍＤＶＤカートリッジ１上面を押圧する部分であり、凸部１０６、１０７、１０８、１０９は、８ｃｍＤＶＤカートリッジ６上面を押圧する部分である。クランパホルダ８６は、第１、第２アーム部材８７、８８との間にあるバネ９５により規定される押圧力で１２ｃｍＤＶＤカートリッジ１上面または８ｃｍＤＶＤカートリッジ６上面を押圧して保持し、記録再生中にカートリッジの不要な動きによってディスクカートリッジ内部のディスクの回転を阻害する事態を防止する。この構成により、１２ｃｍＤＶＤカートリッジ１を第１の記録再生位置で保持でき、８ｃｍＤＶＤカートリッジ６を第２の位置で保持できる。共通のクランパホルダ８６にて、２種のディスクカートリッジ１、６を保持できる。この機構構成を設けたことにより８ｃｍＤＶＤカートリッジ６と１２ｃｍＤＶＤカートリッジ１との記録再生高さ位置をそれぞれディスクトレイ１１の各載置部２０、２１の高さに対応した高さ位置にすることを可能にし、２種のディスクカートリッジ１、６の記録再生を一台のディスク記録再生装置で可能にしつつ、前述のように簡単な機構で動作信頼性が高く、コストがかからぬ機構にできる。
【００６２】
請求項９記載の発明に関連して説明する。上述のように、１２ｃｍＤＶＤカートリッジ１を載置した搬入動作において、まず、記録再生機構部２５が第２の記録再生位置に上昇したとき、クランパホルダ８６が降下し、１２ｃｍＤＶＤカートリッジ１の上面を押圧する。このとき第１、第２のアーム部材８７、８８は、８ｃｍＤＶＤカートリッジ６に対応した位置まで降下するので、載置されたときの１２ｃｍＤＶＤカートリッジ１の上面と８ｃｍＤＶＤカートリッジ６の上面との距離差が、バネ９５の伸張により吸収される。このようにクランパホルダ８６を動作可能に構成したことにより、請求項７記載の発明に関連した説明と同様に機構の基本動作「搬入動作」、「記録再生機構部２５の７ｍｍ上昇動作（第２の記録再生位置）とクランパホルダ８６の降下動作」、「記録再生機構部２５の第１の記録再生位置への上昇動作とクランパホルダ８６の所定量の上昇動作」を２種のカートリッジで共通にでき、かつ、順に実行可能となる。基本の機構動作順を共通に構成したため、単一の駆動モータ３４により連続の動作機構を構成し得、計４種のメディアを記録再生可能な装置に関わらず、メディア搬送機構の駆動モータを駆動モータ３４一個に集約した単純で動作信頼性が高く、コストのかからぬ機構とすることができた。
【００６３】
また、記録再生機構部２５が上昇して第２の記録再生位置に位置する状態において、スイッチホルダ８０が水平状態（図２６（ｂ））となり、１２ｃｍＤＶＤカートリッジ１、ないし、８ｃｍＤＶＤカートリッジ６をスイッチ７３、７４、７５、７６、７７、７８にて検出するが、上記発明の構成により１２ｃｍＤＶＤカートリッジ１、８ｃｍＤＶＤカートリッジ２のどちらでもその上面を上記のように押圧することができるので、スイッチ７３、７４、７５、７６、７７、７８のバネ力によりカートリッジが持ち上げられスイッチ検知が不安定になるなどの事故は生じず、安定した信頼性の高いディスク記録再生装置を得ることができる。
【００６４】
また、バネ９５により、前述のクランパホルダ８６の位置差を吸収する機構は、１２ｃｍＤＶＤカートリッジ１または８ｃｍＤＶＤカートリッジ６のどちらがディスクトレイ１１に載置されているかを検出する機構（検知スイッチからなることが多い）とその検知情報に従ってクランパホルダ８６の降下位置を選択的に変える機構（専用の駆動力を有する）を設置することに比べて容易、かつ、部品数が少なく安価である。
【００６５】
請求項１０記載の発明に関連して説明する。上述のように、１２ｃｍＤＶＤカートリッジ１を載置した場合、第１の記録再生位置において、クランパホルダ８６により保持される。このときの押圧荷重はバネ９５により規定される。同様に８ｃｍＤＶＤカートリッジ６を載置した場合、第２の記録再生位置において、クランパホルダ８６により保持される。このときの押圧荷重もバネ９５により規定される。クランパホルダ８６が最上部の退避位置にあるとき、第１、第２のアーム部材８７、８８の先端１１９はクランパホルダ８６の下端１２０、１２１と接触しているが、押圧時は、若干間隔１４２、１４４を有し、押圧力がバネ９５により規定される構造である。これにより、加圧力を略一定にでき、押圧力不足によるディスクカートリッジ１、６の浮きによって記録再生動作を阻害することや、押圧力過大によるディスクカートリッジ１、６の変形による記録再生動作の阻害や押圧力過大に対してモータパワーが不足することに起因する機構動作不能といった事態を防止することができる。バネ９５に押圧力を規定する機能を持たせた上で、前述のように、第２の記録再生位置におけるクランパホルダ８６の位置の違い、ディスクトレイ１１に載置されたときの１２ｃｍＤＶＤカートリッジ１の上を押圧するときと８ｃｍＤＶＤカートリッジ６の上面を押圧するときの距離差、を伸張により吸収する機能を持たせたことで、それぞれの機能に対してバネを設置することなく、部品数が削減できて、コストダウンが図れる。
【００６６】
請求項１１記載の発明に関連して説明する。ユーザがディスクトレイ１１上に１２ｃｍＤＶＤカートリッジ１を着脱する際に、１２ｃｍＤＶＤカートリッジ１の側縁を保持し易くするために、ディスクトレイ１１はその両側が、載置された状態の１２ｃｍＤＶＤカートリッジ１の上面より低く、かつ１２ｃｍＤＶＤカートリッジ１側縁の一部を露出するように解放されている解放部１３２を形成している。これにより、１２ｃｍＤＶＤカートリッジ１の側縁を保持し易くなって操作性が向上する。また、第２の記録再生位置において８ｃｍＤＶＤカートリッジ６を保持する状態のクランパホルダ８６は、その一部（図２８、図３１に示す１３３、１３４）が、前記解放部１３２に納まるように構成した。クランパホルダ８６は、上方に退避した状態で機構の最上部を構成するが、この構成により、クランパホルダ８６の高さを低くでき、機構の高さサイズ削減、装置の高さサイズ削減に効果大である。
【００６７】
請求項１２記載の発明に関連して説明する。１２ｃｍディスク２をディスクトレイ１１に載置して搬入動作を行った後、記録再生機構部２５が第２の記録再生位置をとるとき、クランパホルダ８６は、第２の記録再生位置に対応した位置を成す。このとき、クランパホルダ８６に回転自在に保持されたディスククランパ３０は図３２に示すように１２ｃｍディスク２に載った状態である。図２８に示す間隙１３５は、図３２の間隙１３６より大である。このように構成したことにより、第２の記録再生位置において図３２に示す間隙１３７が生じ、１２ｃｍディスク２上にディスククランパ３０が載っても、ディスククランパ３０が１２ｃｍディスク２を下方に押し込むような状況にならず、１２ｃｍディスク２に変形や傷を起こさせることがない。
【００６８】
請求項１３記載の発明に関連して説明する。上述のように、検知スイッチ７３、７４、７５、７６、７７、７８を搭載したスイッチホルダ８０は、記録再生機構部２５の上昇動作（第２の記録再生位置への移動）に連動したほぼ同時のタイミングにて、図２６（ｂ）に示す水平状態をなし、１２ｃｍＤＶＤカートリッジ１ないし８ｃｍＤＶＤカートリッジを検知可能な位置になる。このように構成したことで、２種類のディスクカートリッジのどちらが載置されていても、その検知するべきディスクカートリッジ下面の位置が異なるにも関わらず、同一の機構動作によってディスクカートリッジの状態を検知可能と成し、検知機構の単純化が図れる。また、同一のスイッチホルダ８０にそれぞれのディスクカートリッジに対する検知スイッチ７３、７４、７５、７６、７７、７８を共通に搭載したので、スイッチ７３、７４、７５、７６、７７、７８間の配線が単純にできるメリットがある。
【００６９】
請求項１４記載の発明に関連して説明する。上述のように、８ｃｍＤＶＤ用シャッタオープナ５７は、１２ｃｍＤＶＤ用シャッタオープナ５１と同軸に基台部材５０上に軸支されている。シャッタオープナ５１、５７をシャッタ開方向に付勢するバネを、バネ５８一個で構成し、それぞれに設けることなく構成した。このことで部品数の削減、組立工数の削減が図れる。
【００７０】
請求項１５記載の発明に関連して説明する。１個の駆動モータ５４でディスクトレイ１１の移動や記録再生機構部２５の昇降動作とを兼用させたので、それぞれ個別に駆動モータを設けた場合と比べてモータ数を削減できてコスト低減ができる。
請求項１６記載の発明に関連して説明する。ディスクトレイ１１の突出状態および第１の記録再生位置であることを検知する第１機構検知スイッチ１３８と、第２の記録再生位置から第１の記録再生位置までの区間であることを検知する第２機構検知スイッチ１３９とを設けて、これらの機構検知スイッチ１３８、１３９の状態を比べて判断することで、ディスクトレイ駆動機構３３や、記録再生機構部昇降機構６４などがどの状態にあるかを判断できる。すなわち、ディスクトレイ１１の突出状態、ディスクトレイ１１がケース３２内に移動途中である状態及びその逆方向への移動中の状態、第２の記録再生位置〜第１の記録再生位置へ状態が変化している途中の状態、第１の記録再生位置の機構状態、それぞれの状態を２個のみの機構検知スイッチ１３８、１３９の出力から判断可能であり、電源オン時に機構の初期位置への復帰が容易にできる。すなわち、機構検知スイッチ１３８、１３９を２個使用しただけの安価な構成でありながら、２種のディスクカートリッジ１、６にそれぞれ対応する機構の状態を検出可能にできた。
【００７１】
請求項１７記載の発明に関連して説明する。８ｃｍＤＶＤカートリッジ６、１２ｃｍＤＶＤカートリッジ１、１２ｃｍディスク３単体のどの場合においてもディスク記録再生装置の基本動作を共通化でき、しかも、各ディスクカートリッジに対するシャッタ１０、１２の開閉動、再生記録時の位置決め、などを良好に行うことが可能となる。
【００７２】
請求項１８記載の発明に関連して説明する。８ｃｍＤＶＤカートリッジ６、１２ｃｍＤＶＤカートリッジ１、１２ｃｍディスク３単体、８ｃｍディスク４単体のどの場合においてもディスク記録再生装置の基本動作を共通化でき、しかも、各ディスクカートリッジに対するシャッタ１０、１２の開閉動、再生記録時の位置決め、などを良好に行うことが可能となる。
【００７３】
なお、上記実施の形態においては、ディスク２、３、４、７が光ディスクである場合を述べたが、その他の磁気ディスクなどにも同様な構成を適用できることはいうまでもない。また、ディスク径も１２ｃｍや８ｃｍに限るものではないことはもちろんであり、その他の直径のディスクやこのようなディスクを収納したディスクカートリッジに対応可能である。
【００７４】
【発明の効果】
以上から、請求項１に記載した発明の効果として、シャッタを開く移動量の異なる２種のディスクカートリッジを同一のディスク記録再生装置で扱うことを可能にした。これにより、ユーザに対する使い勝手が向上する。
請求項２に記載した発明の効果として、２種類のディスクカートリッジに対応したディスク記録再生装置を実現可能にし、さらに、１２ｃｍＤＶＤカートリッジおよび８ｃｍＤＶＤカートリッジなどの２種のディスクカートリッジに対して演奏などの再生動作や記録動作を行う場合でも、異なる種類のディスクカートリッジに対応して設けられたシャッタオープナが退避して干渉しないため、ディスクカートリッジの選択的動作を簡単な機構で可能にするだけでなく、円滑な演奏などの再生動作や記録動作を可能にした。
【００７５】
請求項３に記載した発明の効果として、シャッタを有する２種類のディスクカートリッジ（第１、第２のディスクカートリッジ）だけでなく、さらにディスク単体（第３のディスク）に対しても同一のディスク記録再生装置で扱うことを可能にし、これにより、ユーザに対する使い勝手が一層向上する。そして、これらのディスクカートリッジのシャッタを開けるための第１、第２のシャッタオープナの何れもが第３のディスクと干渉しない機構にすることができ、搬送動作時に第１または第２のシャッタオープナが第３のディスクに傷を付けたり、軽量なディスクを、そのディスク載置部外に押し出してしまったりすることがないので、動作信頼性が向上する。
【００７６】
請求項４に記載した発明の効果として、ユーザは２種類のディスクカートリッジのどちらをセットする際にも向きを間違えることがなく、操作性を高めることができると共に異常操作に起因する事故を減少させることが可能になり、信頼性が向上する。また、２種類のディスクカートリッジをどちらも同じセット手順にできる点もユーザの操作性向上に資する。さらに、ディスクカートリッジが正確に位置決めがなされるので、シャッタオープナがそれぞれ両カートリッジのシャッタに正確にアクセスできて、動作信頼性が一層向上する。
【００７７】
請求項５に記載した発明の効果として、記録再生機構部が各ディスクカートリッジのディスクに適した位置に良好に昇降されて、記録再生動作を良好に行うことができる。
請求項６、７に記載した発明の効果として、ディスクトレイにより搬入動作を行う搬入動作位置を、第１、第２の記録再生位置とは別途に設けたため、ディスクトレイによる搬入動作などを支障なく行うことができる。
【００７８】
請求項８、９に記載した発明の効果として、２種類のディスクカートリッジの記録再生を一台のディスク記録再生装置で可能にしつつ、簡単な機構で動作信頼性を高く維持でき、しかも、クランパホルダと一体に設けた部分により、各ディスクカートリッジを良好に位置決めしたり、バネにより、第１のディスクカートリッジ上面と第２のディスクカートリッジ上面との距離差を吸収させたりしたことにより、製造コストがかからぬ機構にできた。
【００７９】
請求項１０に記載した発明の効果として、カートリッジ保持加圧力を略一定にできて、動作信頼性を向上させることができる。また、バネにより、クランパホルダを良好に降下させる機能と、所定量の押圧荷重を付勢する機能とを兼用したことにより、部品数が削減できて、コストダウンが図れる。また、ディスクカートリッジの検知するなどのスイッチ検知が不安定になる事故を防止できて、高い信頼性を安定して維持することが可能となる。
【００８０】
請求項１１に記載した発明の効果として、解放部を介して第１のディスクカートリッジをディスクトレイより容易に取出すことができるため、操作性が良港となる。また、クランパホルダ一部解放部に納まるように構成したことにより、クランパホルダの高さを低くできて、この箇所の機構ならびに装置の高さサイズ削減を行うことができる。
【００８１】
請求項１２に記載した発明の効果として、第２の記録再生位置において第３のディスク上にディスククランパが載っても、ディスククランパが第３のディスクを下方に押し込むような状況にならず、第３のディスクに変形や傷を起こさせることがなくなり、信頼性が向上する。
請求項１３に記載した発明の効果として、２種類のディスクカートリッジのどちらが載置されていても、その検知するべきディスクカートリッジ下面の位置が異なるにも関わらず、同一の機構動作によってディスクカートリッジの状態を検知可能と成し、検知機構の単純化が図れ、また、同一のスイッチホルダにそれぞれのディスクカートリッジに対する検知スイッチ共通に搭載したので、スイッチ間の配線が単純にできて製造コストを低減できるメリットがある。
【００８２】
請求項１４に記載した発明の効果として、第１、第２のシャッタオープナを同軸で支持できるとともに、シャッタ開方向に付勢するバネを一個で済ますことができるので、部品数の削減、組立工数の削減が図れる。
請求項１５に記載した発明の効果として、１個の駆動モータでディスクトレイの移動や記録再生機構部の昇降動作とを兼用させたので、それぞれ個別に駆動モータを設けた場合と比べてモータ数を削減できてコスト低減ができる。
【００８３】
請求項１６に記載した発明の効果として、機構検知スイッチを２個使用しただけの安価な構成でありながら、２種のディスクカートリッジにそれぞれ対応する機構の状態を検出可能にできるため、これによっても、部品数の削減、組立工数の削減が図れる。
請求項１７、１８に記載した発明の効果として、２種類のディスクカートリッジと１種類のディスク、または２種類のディスクカートリッジと２種類のディスクのどの場合においてもディスク記録再生装置の基本動作を共通化でき、しかも、各ディスクカートリッジに対するシャッタの開閉動、再生記録時の位置決め、などを良好に行うことが可能となり、操作性ならびに信頼性が良好なディスク記録再生装置を得ることができる。
【図面の簡単な説明】
【図１】本発明の実施の形態にかかるディスク記録再生装置を上方から見た平面図（模式的に示す）。なお、ディスクを上方から固定するディスククランパ周辺を省いている。
【図２】同ディスク記録再生装置を側方（図１の矢印３１方向）から見た側面断面図であり、模式的に示す。
【図３】（ａ）および（ｂ）は同ディスク記録再生装置の、どのディスクカートリッジやディスクをもセットしていないディスクトレイを示す平面図および側面断面図。
【図４】（ａ）および（ｂ）は同ディスク記録再生装置の、１２ｃｍＤＶＤカートリッジを載置した状態の平面図および側面断面図。
【図５】（ａ）および（ｂ）は同ディスク記録再生装置の、８ｃｍＤＶＤカートリッジを載置した状態の平面図および側面断面図。
【図６】（ａ）および（ｂ）は同ディスク記録再生装置の、１２ｃｍディスクを載置した状態の平面図および側面断面図。
【図７】（ａ）および（ｂ）は同ディスク記録再生装置の、８ｃｍディスクを載置した状態の平面図および側面断面図。
【図８】同ディスク記録再生装置の、第１の機構検知スイッチＳＷ１および第２の機構検知スイッチＳＷ２の動作と駆動モータとの回転方向の関係を示す図。
【図９】同ディスク記録再生装置において、１２ｃｍＤＶＤカートリッジの移動に応じてシャッタオープナが移動する際の動きを示す平面図で、１２ｃｍＤＶＤカートリッジが１２ｃｍＤＶＤ用シャッタオープナに当接した状態を示す。
【図１０】同ディスク記録再生装置において、１２ｃｍＤＶＤカートリッジの移動に応じてシャッタオープナが移動する際の動きを示す平面図で、１２ｃｍＤＶＤカートリッジが１２ｃｍＤＶＤ用シャッタオープナに当接して移動途中である状態を示す。
【図１１】同ディスク記録再生装置において、１２ｃｍＤＶＤカートリッジの移動に応じてシャッタオープナが移動する際の動きを示す平面図で、１２ｃｍＤＶＤカートリッジがケース内に移動完了した状態を示す。
【図１２】図１１の状態に続いて８ｃｍＤＶＤ用シャッタオープナが退避した状態を示す平面図。
【図１３】（ａ）および（ｂ）は同ディスク記録再生装置において、１２ｃｍディスクをセットしたディスクトレイがケース内へ移動する動作を示す平面図および側面断面図。
【図１４】同ディスク記録再生装置において、１２ｃｍディスクをセットしたディスクトレイがさらにケース内へ移動する動作を示す平面図。
【図１５】同ディスク記録再生装置において、１２ｃｍディスクをセットしたディスクトレイがケース内へ移動する動作を完了した状態を示す平面図。
【図１６】同ディスク記録再生装置において、８ｃｍＤＶＤ用シャッタオープナが退避する途中の状態を示す平面図。
【図１７】同ディスク記録再生装置において、８ｃｍＤＶＤ用シャッタオープナが退避した状態を示す平面図。
【図１８】同ディスク記録再生装置において、８ｃｍＤＶＤカートリッジの移動に応じてシャッタオープナが移動する際の動きを示す平面図で、８ｃｍＤＶＤカートリッジが８ｃｍＤＶＤ用シャッタオープナに当接した状態を示す。
【図１９】同ディスク記録再生装置において、８ｃｍＤＶＤカートリッジの移動に応じてシャッタオープナが移動する際の動きを示す平面図で、８ｃｍＤＶＤカートリッジがケース内に移動完了した状態を示す。
【図２０】（ａ）および（ｂ）は同ディスク記録再生装置の記録再生機構部のみを抜き出した平面図および側面図。
【図２１】（ａ）および（ｂ）は同ディスク記録再生装置の８ｃｍＤＶＤ用シャッタオープナと１２ｃｍＤＶＤ用シャッタオープナとの周辺を抜き出した平面図および側面図。
【図２２】（ａ）は１２ｃｍディスクを示す斜視図、（ｂ）は８ｃｍディスクを示す斜視図。
【図２３】（ａ）および（ｂ）は１２ｃｍＤＶＤカートリッジの平面図および側面図。
【図２４】（ａ）および（ｂ）は８ｃｍＤＶＤカートリッジの平面図および側面図。
【図２５】同ディスク記録再生装置のリング部材の概略形状を示す図で、（ａ）は平面図、（ｂ）および（ｃ）はそれぞれ側面図、（ｄ）および（ｅ）はそれぞれ側面に形成されたカム溝を直線に展開したカム形状を示す図。
【図２６】同ディスク記録再生装置のスイッチホルダ周辺を模式的に示す正面断面図で、（ａ）は、スイッチホルダの退避状態を示す正面断面図、（ｂ）は、スイッチホルダの上昇した状態を示す正面断面図。
【図２７】同ディスク記録再生装置のリング部材側面の各カム溝にスイッチホルダ、記録再生機構部、第１、第２のアーム部材が係合した状態を抜き出した平面図。
【図２８】同ディスク記録再生装置において、基台部材とクランパホルダ、第１、第２のアーム部材等を抜き出した図で、（ａ）は組み立てた状態の平面図、（ｂ）はクランパホルダと第２のアーム部材等を側面から見た側面図、（ｃ）はクランパホルダ、ディスククランパ、ディスクトレイ等を装置後方から見た図。
【図２９】同ディスク記録再生装置において、基台部材とクランパホルダ、第１、第２のアーム部材等を抜き出し、クランパホルダが１２ｃｍＤＶＤカートリッジ上に降下した状態を示す図で、（ａ）は組み立てた状態の平面図、（ｂ）はクランパホルダと第２のアーム部材等を側面から見た側面図、（ｃ）はクランパホルダ、ディスククランパ、ディスクトレイ等を装置後方から見た図。
【図３０】同ディスク記録再生装置の、１２ｃｍＤＶＤカートリッジを載置した状態で、第１、第２のアーム部材の係合軸が昇降カムのＦ点からＧ点へ移動した状態を示す側面図。
【図３１】同ディスク記録再生装置において、基台部材とクランパホルダ、第１、第２のアーム部材等を抜き出し、クランパホルダが８ｃｍＤＶＤカートリッジ上に降下した状態を示す図で、（ａ）は組み立てた状態の平面図、（ｂ）はクランパホルダと第２のアーム部材等を側面から見た側面図、（ｃ）はクランパホルダ、ディスククランパ、ディスクトレイ等を装置後方から見た図。
【図３２】同ディスク記録再生装置において、ディスクトレイに１２ｃｍディスクを載置して、記録再生機構部が第２の記録再生位置をとるときの、クランパホルダ周辺の正面断面図。
【符号の説明】
１          １２ｃｍＤＶＤカートリッジ（第１のディスクカートリッジ）
２          ディスク（第１のディスク）
３          １２ｃｍディスク（第３のディスク）
４          ８ｃｍディスク（第４のディスク）
６          ８ｃｍＤＶＤカートリッジ（第２のディスクカートリッジ）
７          ディスク（第２のディスク）
８          光ピックアップ
１０、１２  シャッタ
１８        １２ｃｍディスク載置部（第１のディスク載置部）
１９        ８ｃｍディスク載置部（第２のディスク載置部）
２０        １２ｃｍＤＶＤカートリッジ載置部（第１のカートリッジ載置部）
２１        ８ｃｍＤＶＤカートリッジ載置部（第２のカートリッジ載置部）
２５        記録再生機構部
３０        ディスククランパ
３２        ケース（筐体）
３３        ディスクトレイ駆動機構
３４        駆動モータ
４１〜４４  位置決めピン
５１        １２ｃｍＤＶＤ用シャッタオープナ（第１のシャッタオープナ）
５５        回転軸
５７        ８ｃｍＤＶＤ用シャッタオープナ（第２のシャッタオープナ）
６４        記録再生機構部昇降機構
７２        ターンテーブル
７３〜７８  スイッチ
８０        スイッチホルダ
８６        クランパホルダ
９１〜９４  凸部
９５        バネ
１０６〜１０９  凸部
１３２      解放部
１３５〜１３７  間隙
１３８      第１の機構検知スイッチ
１３９      第２の機構検知スイッチ
１４２、１４４  間隔
【図１】
0004219072.tif 000002
【図２】
0004219072.tif 000003
【図３】
0004219072.tif 000004
【図４】
0004219072.tif 000005
【図５】
0004219072.tif 000006
【図６】
0004219072.tif 000007
【図７】
0004219072.tif 000008
【図８】
0004219072.tif 000009
【図９】
0004219072.tif 000010
【図１０】
0004219072.tif 000011
【図１１】
0004219072.tif 000012
【図１２】
0004219072.tif 000013
【図１３】
0004219072.tif 000014
【図１４】
0004219072.tif 000015
【図１５】
0004219072.tif 000016
【図１６】
0004219072.tif 000017
【図１７】
0004219072.tif 000018
【図１８】
0004219072.tif 000019
【図１９】
0004219072.tif 000020
【図２０】
0004219072.tif 000021
【図２１】
0004219072.tif 000022
【図２２】
0004219072.tif 000023
【図２３】
0004219072.tif 000024
【図２４】
0004219072.tif 000025
【図２５】
0004219072.tif 000026
【図２６】
0004219072.tif 000027
【図２７】
0004219072.tif 000028
【図２８】
0004219072.tif 000029
【図２９】
0004219072.tif 000030
【図３０】
0004219072.tif 000031
【図３１】
0004219072.tif 000032
【図３２】
0004219072.tif 000033